(57)【要約】【課題】動画オブジェクトにおける所定の閉領域の表示内容を抽出した新動画オブジェクトを、処理の複雑化を招くことなく生成できる動画処理方法を提供すること。【解決手段】動画処理装置１は、表示部１０に表示された動画オブジェクトに対して閉領域を指定することにより、新動画オブジェクトの表示領域を設定する表示領域設定ステップと、動画オブジェクトの動画情報５０のコピー動画情報６１及び新動画オブジェクトの表示領域情報６２を有し、新動画オブジェクトを表示するための新動画情報６０を生成する新動画情報生成ステップとを行う。【選択図】図１
2014168182.tif 000002
【特許請求の範囲】
【請求項１】
表示部に表示された動画オブジェクトから新動画オブジェクトを生成する動画処理方法であって、
前記表示部に表示された動画オブジェクトに対して閉領域を指定することにより、新動画オブジェクトの表示領域を設定する表示領域設定ステップと、
前記動画オブジェクトの動画情報及び前記新動画オブジェクトの表示領域情報を有し、前記新動画オブジェクトを表示するための新動画情報を生成する新動画情報生成ステップとを備えることを特徴とする動画処理方法。
【請求項２】
請求項１に記載の動画処理方法において、
さらに、前記動画オブジェクトの表示時間範囲を設定することにより、前記新動画オブジェクトの表示時間範囲を設定する表示時間範囲設定ステップを備え、
前記新動画情報生成ステップでは、前記動画オブジェクトの動画情報、前記新動画オブジェクトの表示領域情報及び前記新動画オブジェクトの表示時間範囲情報を有する前記新動画情報を生成することを特徴とする動画処理方法。
【請求項３】
請求項１に記載の動画処理方法において、
前記新動画情報生成ステップでは、前記動画オブジェクトの動画情報のコピー及び前記表示領域情報を有する前記新動画情報を生成することを特徴とする動画処理方法。
【請求項４】
請求項２に記載の動画処理方法において、
前記新動画情報生成ステップでは、前記動画オブジェクトの動画情報のコピー、前記表示領域情報及び前記表示時間範囲情報を有する前記新動画情報を生成することを特徴とする動画処理方法。
【請求項５】
請求項１から請求項４のいずれかに記載の動画処理方法において、
前記新動画情報を記憶部に記憶させる記憶ステップを備えることを特徴とする動画処理方法。
【請求項６】
表示部に表示された動画オブジェクトから新動画オブジェクトを生成する動画処理装置であって、
前記表示部に表示された動画オブジェクトに対して閉領域を指定することにより、新動画オブジェクトの表示領域を設定する表示領域設定部と、
前記動画オブジェクトの動画情報及び前記新動画オブジェクトの表示領域情報を有し、前記新動画オブジェクトを表示するための新動画情報を生成する新動画情報生成部とを備えることを特徴とする動画処理装置。
【請求項７】
請求項６に記載の動画処理装置において、
さらに、前記動画オブジェクトの表示時間範囲を設定することにより、前記新動画オブジェクトの表示時間範囲を設定する表示時間範囲設定部を備え、
前記新動画情報生成部は、前記動画オブジェクトの動画情報、前記新動画オブジェクトの表示領域情報及び前記新動画オブジェクトの表示時間範囲情報を有する前記新動画情報を生成することを特徴とする動画処理装置。
【請求項８】
請求項６に記載の動画処理装置において、
前記新動画情報生成部は、前記動画オブジェクトの動画情報のコピー及び前記表示領域情報を有する前記新動画情報を生成することを特徴とする動画処理装置。
【請求項９】
請求項７に記載の動画処理装置において、
前記新動画情報生成部は、前記動画オブジェクトの動画情報のコピー、前記表示領域情報及び前記表示時間範囲情報を有する前記新動画情報を生成することを特徴とする動画処理装置。
【請求項１０】
請求項６から請求項９のいずれかに記載の動画処理装置において、
さらに、前記新動画情報を記憶部に記憶させる記憶制御部を備えることを特徴とする動画処理装置。
【請求項１１】
請求項１から請求項５のいずれかに記載の動画処理方法を動画処理装置に実行させることを特徴とする動画処理プログラム。
【発明の詳細な説明】
【技術分野】
【０００１】
本発明は、動画処理方法、動画処理装置及び動画処理プログラムに関する。
【背景技術】
【０００２】
従来、表示部に表示させたアイコンから新たなアイコンを作成する構成が知られている（例えば、特許文献１参照）。
この特許文献１の構成では、ディスプレイ上の閉領域が指定されると、この閉領域に含まれる図形要素の描画に用いられている描画指示情報を抽出する。この後、抽出した描画指示情報に対し、拡大あるいは縮小処理を施してイメージデータを作成する。そして、イメージデータを新たなアイコンとして登録する。
【先行技術文献】
【特許文献】
【０００３】
【特許文献１】特開平７−３１９６５８号公報
【発明の概要】
【発明が解決しようとする課題】
【０００４】
ところで、動画オブジェクトを用いて会議やプレゼンテーションを行う場合、進行の効率化を図るために、動画オブジェクトにおける所定の閉領域の表示内容を抽出し、新動画オブジェクトとして利用したいという要求がある。このような要求を満たすために、特許文献１に記載のような構成を用いることが考えられる。
しかしながら、特許文献１に記載のような構成を用いる場合、動画オブジェクトを構成する複数の静止画像について処理を行う必要があり、処理が複雑になるという問題がある。特に、ＭＰＥＧ（Moving Picture Experts Group）２やＭＰＥＧ４の動画オブジェクトでは、フレーム間予測を用いているため、一旦、モーションＪＰＥＧ（Joint Photographic Experts Group）やモーションＧＩＦ（Graphics Interchange Format）に変換してから処理を行う必要があり、処理がさらに複雑になるという問題がある。
【０００５】
本発明は、動画オブジェクトにおける所定の閉領域の表示内容を抽出した新動画オブジェクトを、処理の複雑化を招くことなく生成できる動画処理方法、動画処理装置及び動画処理プログラムを提供することを１つの目的とする。
【課題を解決するための手段】
【０００６】
請求項１に記載の発明は、表示部に表示された動画オブジェクトから新動画オブジェクトを生成する動画処理方法であって、前記表示部に表示された動画オブジェクトに対して閉領域を指定することにより、新動画オブジェクトの表示領域を設定する表示領域設定ステップと、前記動画オブジェクトの動画情報及び前記新動画オブジェクトの表示領域情報を有し、前記新動画オブジェクトを表示するための新動画情報を生成する新動画情報生成ステップとを備えることを特徴とする動画処理方法である。
【０００７】
請求項６に記載の発明は、表示部に表示された動画オブジェクトから新動画オブジェクトを生成する動画処理装置であって、前記表示部に表示された動画オブジェクトに対して閉領域を指定することにより、新動画オブジェクトの表示領域を設定する表示領域設定部と、前記動画オブジェクトの動画情報及び前記新動画オブジェクトの表示領域情報を有し、前記新動画オブジェクトを表示するための新動画情報を生成する新動画情報生成部とを備えることを特徴とする動画処理装置である。
【０００８】
請求項１１に記載の発明は、上述の動画処理方法を動画処理装置に実行させることを特徴とする動画処理プログラムである。
【図面の簡単な説明】
【０００９】
【図１】本発明の一実施形態に係る動画処理装置の概略構成を示すブロック図。
【図２】前記一実施形態における動画処理装置の作用を示すフローチャート。
【図３】前記一実施形態における新動画オブジェクトの表示領域の設定操作を示す模式図。
【図４】前記一実施形態における新動画オブジェクトの表示時間範囲の設定操作を示す模式図。
【図５】前記一実施形態における新動画情報の生成指示操作を示す模式図。
【図６】前記一実施形態における新動画オブジェクトの表示処理を示す模式図。
【図７】本発明の変形例に係る新動画情報の記憶状態を示す模式図。
【発明を実施するための形態】
【００１０】
以下、本発明の一実施形態について説明する。
｛動画処理装置の構成｝
動画処理装置１は、図１に示すように、表示部１０と、指示位置検出部２０と、記憶部３０と、制御部４０とを備える。
なお、動画処理装置１は、表示面１１（例えば、図３参照）が上方を向くテーブル型のものであってもよいし、壁面などに設置されて表示面１１が水平方向を向く壁掛け型のものであってもよい。あるいは、動画処理装置１は、タッチパネルを備えるいわゆるスマートフォン（Smartphone）や、タブレットＰＣ（Tablet PC）といった、携帯型や設置型の通信端末であってもよい。
【００１１】
表示部１０としては、液晶ディスプレイ、プラズマディスプレイ、有機ＥＬディスプレイ等の各種ディスプレイを用いることができる。
指示位置検出部２０は、人間の指やスタイラス等の指示物Ｆが表示面１１に接触または近接したときに、接触位置または近接位置を指示位置として検出し、検出結果を制御部４０に送信する。
指示位置検出部２０としては、指示物Ｆが表示面１１に近接したことを検出可能な赤外線方式のタッチパネルや、指示物Ｆが表示面１１に接触したことを検出可能な静電容量方式や電磁誘導方式などの各種方式のタッチパネルを用いることができる。なお、指示位置検出部２０は、タッチパネルに限定されず、例えば、動画処理装置１に接続されたマウスやキーボード等の使用者による操作指示を、動画処理装置１に入力可能な各種入力手段でもよい。
【００１２】
記憶部３０は、動画処理装置１を制御するための各種プログラムやデータを記憶する。また、記憶部３０は、表示面１１に動画オブジェクトＭ（例えば、図３参照）を表示させるための動画情報５０を記憶する。また、記憶部３０は、動画情報５０に基づき制御部４０が生成した新動画情報６０を記憶する。新動画情報６０は、表示面１１に新動画オブジェクトＮＭ（例えば、図６参照）を表示させる際に用いられる。新動画情報６０は、コピー動画情報６１と、表示領域情報６２と、表示時間範囲情報６３とを備える。
なお、図１において、動画情報５０及び新動画情報６０を１つずつのみ図示したが、実際には、記憶部３０は、それぞれ複数の動画情報５０及び新動画情報６０を記憶することができる。また、新動画情報６０の生成方法については、後述する。さらに、動画情報５０及びコピー動画情報６１のフォーマットとしては、ＭＰＥＧ２、ＭＰＥＧ４、モーションＪＰＥＧ、モーションＧＩＦ（Graphic Interchange Format）、ＷＭＶ（Windows Media Video(Windowsは登録商標))、ＭＯＶ等、動画オブジェクトＭを表示可能なものであればよく、ファイルフォーマットには限定されない。
【００１３】
制御部４０は、記憶部３０に記憶されたプログラムおよびデータをＣＰＵ（Central Processing Unit）が処理することにより構成される、第１表示制御部４１と、表示領域設定部４２と、表示時間範囲設定部４３と、新動画情報生成部４４と、第２表示制御部４５と、記憶制御部４６とを備える。すなわち、記憶部３０には、動画処理装置１に、図２に示す動画処理方法を実行させるための動画処理プログラムが記憶されている。
【００１４】
第１表示制御部４１は、所定の動画オブジェクトＭを表示させる旨の検出結果を指示位置検出部２０から受信すると、動画情報５０に基づく動画オブジェクトＭを表示部１０の表示面１１に表示させる。
表示領域設定部４２は、動画オブジェクトＭの所定の閉領域ＣＡ（例えば、図３参照）を指定する旨の検出結果を指示位置検出部２０から受信すると、当該閉領域ＣＡを新動画オブジェクトＮＭの表示領域として設定する。すなわち、表示領域設定部４２は、動画オブジェクトＭにおける閉領域ＣＡ内の表示内容を新動画オブジェクトＮＭの表示内容として設定する。
表示時間範囲設定部４３は、動画オブジェクトＭの表示時間範囲を設定する旨の検出結果を指示位置検出部２０から受信すると、当該表示時間範囲を新動画オブジェクトＮＭの表示時間範囲として設定する。
新動画情報生成部４４は、表示領域設定部４２及び表示時間範囲設定部４３での設定結果に基づいて、新動画情報６０を生成する。
第２表示制御部４５は、所定の新動画オブジェクトＮＭを表示させる旨の検出結果を指示位置検出部２０から受信すると、新動画情報６０に基づく新動画オブジェクトＮＭを表示部１０の表示面１１に表示させる。
記憶制御部４６は、新動画情報生成部４４が生成した新動画情報６０を記憶部３０に記憶させる。
【００１５】
｛動画処理装置の作用｝
次に、動画処理装置１の作用を説明する。
動画処理装置１の制御部４０の第１表示制御部４１は、図２に示すように、電源がオンされて所定の操作がなされたことを検出すると、図３に示すような動画オブジェクトＭを表示面１１に表示させる（ステップＳ１）。このとき、第１表示制御部４１は、動画オブジェクトＭの所定の場面を静止画で表示させてもよいし、動画オブジェクトＭを所定の場面から動画として再生させてもよい。なお、この所定の場面は、最初の場面であってもよいし、前回の表示終了時の場面であってもよい。
【００１６】
この後、制御部４０の表示領域設定部４２は、指示位置検出部２０での検出結果に基づいて、新動画オブジェクトＮＭの表示領域を設定する（ステップＳ２（表示領域設定ステップ））。
このステップ２の処理を行うにあたり、例えば、第１表示制御部４１は、動画オブジェクトＭを動画として再生している場合には、再生を停止して静止画を表示させる。なお、第１表示制御部４１は、動画の再生を継続してもよい。そして、表示領域設定部４２は、図３に示すように、動画オブジェクトＭの表示領域のうち、指示物Ｆが実線で示すように第１頂点Ｅ１を指示したことと、二点鎖線で示すように第２頂点Ｅ２を指示したことを、指示位置検出部２０が検出すると、２つの頂点Ｅ１，Ｅ２が対角線の両端に位置するような四角形の閉領域ＣＡを設定する。この後、表示領域設定部４２は、動画オブジェクトＭにおける当該閉領域ＣＡを新動画オブジェクトＮＭの表示領域として設定する。
【００１７】
なお、各頂点Ｅ１，Ｅ２の指示は、スワイプ操作で行われてもよいし、タップ操作であってもよい。スワイプ操作は、指示物Ｆを表示面１１に接触または近接させ、そのまま表示面１１に略沿って移動させることにより行われる。タップ操作は、指示物Ｆを表示面１１に所定時間内に少なくとも１回接触または近接させることにより行われる。
また、閉領域ＣＡの形状は、四角形に限らず、四角形以外の多角形や円形あるいは楕円形であってもよい。さらに、閉領域ＣＡの設定は、多角形の全ての頂点のみを指示するものであってもよいし、指示物Ｆが表示面１１を指示したまま多角形や円形あるいは楕円形を描くように移動するものであってもよい。また、閉領域ＣＡの各頂点の座標や、閉領域ＣＡの中心位置及び外縁上の所定位置の座標を数値で入力するものであってもよい。
【００１８】
その後、制御部４０の表示時間範囲設定部４３は、指示位置検出部２０での検出結果に基づいて、新動画オブジェクトＮＭの表示時間範囲を設定する（ステップＳ３（表示時間範囲設定ステップ））。
具体的に、表示時間範囲設定部４３は、図４に示すように、表示面１１にスタートボタンＢＴと、ストップボタンＢＰとを表示させる。そして、表示時間範囲設定部４３は、指示物Ｆが実線で示すようにスタートボタンＢＴをタップ操作したことを指示位置検出部２０が検出すると、動画オブジェクトＭの再生を開始する。この動画オブジェクトＭの再生により、例えば、動画オブジェクトＭに表示されている自動車Ｊが矢印Ｙ１の方向に移動する。
この後、表示時間範囲設定部４３は、指示物Ｆが二点鎖線で示すようにストップボタンＢＰをタップ操作したことを指示位置検出部２０が検出すると、動画オブジェクトＭの再生を停止する。この動画オブジェクトＭの再生の停止により、例えば、動画オブジェクトＭに表示されている自動車Ｊが一点鎖線で示す位置で停止する。そして、表示時間範囲設定部４３は、動画オブジェクトＭの再生が開始されてから停止するまでの時間（再生開始位置から再生停止位置までの時間）を、新動画オブジェクトＮＭの表示時間範囲として設定する。
【００１９】
なお、表示時間範囲の設定は、再生開始位置や再生停止位置を表す時間を、数値で入力することにより行われてもよい。さらに、表示時間範囲の設定は、各ボタンスタートボタンＢＴ，ストップボタンＢＰを表示させずに、閉領域ＣＡ内のタップ操作により行われてもよい。
また、各ボタンスタートボタンＢＴ，ストップボタンＢＰは、新動画オブジェクトＮＭの表示時間範囲専用のボタンであって、表示時間範囲の設定終了後に表示されなくてもよい。また、各ボタンスタートボタンＢＴ，ストップボタンＢＰは、表示時間範囲の設定終了後にも表示され続け、動画オブジェクトＭの再生開始や停止にも利用されてもよい。また、ステップＳ３の表示時間範囲の設定において、新たに表示時間範囲を設定するのではなく、コピー元の動画オブジェクトＭの表示時間範囲を新動画オブジェクトＮＭの表示時間範囲として設定してもよい。すなわち、動画オブジェクトＭの最初の位置と最後の位置との間の時間を新動画オブジェクトＮＭの表示時間範囲として設定してもよい。
【００２０】
次に、制御部４０の新動画情報生成部４４は、新動画情報６０を生成する（ステップＳ４（新動画情報生成ステップ））。
例えば、新動画情報生成部４４は、図５に示すように、閉領域ＣＡ内を指示した指示物Ｆが矢印Ｙ２に示すスワイプ操作によって、動画オブジェクトＭの外部に移動したことを指示位置検出部２０が検出すると、新動画情報６０の生成が指示されたと判断する。そして、新動画情報生成部４４は、ステップＳ２で表示領域設定部４２が設定した閉領域ＣＡを表す表示領域情報６２と、ステップＳ３で表示時間範囲設定部４３が設定した表示時間範囲を表す表示時間範囲情報６３とを生成する。さらに、新動画情報生成部４４は、表示面１１に表示中の動画オブジェクトＭの動画情報５０をコピーして、コピー動画情報６１を生成する。この後、新動画情報生成部４４は、これら生成したコピー動画情報６１と、表示領域情報６２と、表示時間範囲情報６３とを有する新動画情報６０を生成する。
なお、新動画情報６０の生成指示は、指示物Ｆのスワイプ操作に限らず、閉領域ＣＡ内と動画オブジェクトＭの外部との連続するタップ操作により行われてもよいし、表示面１１に表示されたボタンを指示物Ｆがタップ操作することにより行われてもよい。
【００２１】
この後、制御部４０の第２表示制御部４５は、新動画情報６０に基づいて、新動画オブジェクトＮＭを表示面１１に表示させる（ステップＳ５）。
例えば、第２表示制御部４５は、図６に示すように、ステップＳ４におけるスワイプ操作の終了位置を略中心とする領域に、新動画オブジェクトＮＭを再生可能なように表示させる。
具体的に、第２表示制御部４５は、コピー動画情報６１を用いて表示可能な動画オブジェクトＭのうち、表示領域情報６２で表される閉領域ＣＡ内の動画オブジェクトＭの表示内容のみを新動画オブジェクトＮＭの表示内容として表示させ、当該閉領域ＣＡ外の動画オブジェクトＭの表示内容を新動画オブジェクトＮＭの表示内容として表示させない処理を行う。また、第２表示制御部４５は、コピー動画情報６１を用いて再生可能な表示時間範囲、すなわち、動画オブジェクトＭを再生可能な表示時間範囲のうち、表示時間範囲情報６３で表される表示時間範囲のみを再生可能とし、当該表示時間範囲外を再生不可能とするような処理を行う。
ここで、第２表示制御部４５は、新動画オブジェクトＮＭの再生の開始及び停止を、新動画オブジェクトＮＭの表示領域内のタップ操作により行えるようにしてもよいし、新動画オブジェクトＮＭの外部に表示されたボタンのタップ操作により行われてもよい。
なお、新動画オブジェクトＮＭの表示位置は、スワイプ操作の終了位置ではなく、動画オブジェクトＭの外部における予め設定された位置であってもよい。
【００２２】
そして、制御部４０の記憶制御部４６は、新動画情報６０の保存操作がされたか否かを判断する（ステップＳ６）このステップＳ６において、記憶制御部４６は、保存操作がされたと判断した場合、新動画情報６０を記憶部３０に記憶させる処理を新動画情報６０の保存処理として行い（ステップＳ７（記憶ステップ））、処理を終了する。一方、ステップＳ６において、記憶制御部４６は、保存操作がされていないと判断した場合、ステップＳ７の処理行わずに、処理を終了する。
【００２３】
｛実施形態の作用効果｝
上述したような実施形態では、以下のような作用効果を奏することができる。
動画処理装置１は、動画オブジェクトＭにおける所定の閉領域ＣＡの表示内容を抽出した新動画オブジェクトＮＭを生成する際に、動画オブジェクトＭの動画情報５０のコピーであるコピー動画情報６１と、動画オブジェクトＭの閉領域ＣＡを新動画オブジェクトＮＭの表示領域として設定することを表す表示領域情報６２とを有する新動画情報６０を生成する。
このように、動画情報５０を構成する静止画像を処理することなく、動画情報５０を新動画オブジェクトＮＭの表示に用いることができる上、表示領域情報６２の生成を静止画像の処理と比べて容易な処理で行うことができるため、処理の複雑化を招くことなく、新動画オブジェクトＮＭを生成できる。また、動画情報５０をそのまま用いるため、動画オブジェクトＭのフォーマットの種類によらず、ほぼ同じ処理時間で新動画オブジェクトＮＭを生成できる。
【００２４】
動画処理装置１は、動画オブジェクトＭの所定の表示時間範囲を新動画オブジェクトＮＭの表示時間範囲として設定することを表す表示時間範囲情報６３を生成し、当該表示時間範囲情報６３を新動画情報６０に含める。
このため、動画オブジェクトＭの一部のみを新動画オブジェクトＮＭとすることができ、ユーザの意図に応じた新動画オブジェクトＮＭを生成することができる。
【００２５】
新動画情報生成部４４は、動画情報５０をコピーしたコピー動画情報６１を新動画情報６０に含める。
ここで、例えば、図７に示すように動画情報５０をそのまま新動画情報６０Ａに含めた場合、動画オブジェクトＭを表示させるための動画情報５０が新動画オブジェクトＮＭを表示させるために利用されることとなり、新動画情報６０の生成後は、動画オブジェクトＭと新動画オブジェクトＮＭとを同時に表示させたり、動画情報５０に基づき閉領域ＣＡや表示時間範囲が異なる新しい新動画オブジェクトＮＭを生成したりすることができない。
これに対し、コピー動画情報６１を新動画情報６０に含めることにより、動画オブジェクトＭを表示させるため動画情報５０と新動画オブジェクトＮＭを表示させるためのコピー動画情報６１とを別々の情報とすることができ、新動画情報６０の生成後においても、動画オブジェクトＭと新動画オブジェクトＮＭとを同時に表示させたり、動画情報５０に基づき閉領域ＣＡや表示時間範囲が異なる新しい新動画オブジェクトＮＭを生成したりすることができる。
【００２６】
記憶制御部４６は、新動画情報６０を記憶部３０に記憶させる。
このため、新動画オブジェクトＮＭを必要なタイミングで表示させることができる。
【００２７】
｛変形例｝
なお、本発明は前述の実施形態に限定されるものではなく、本発明の目的を達成できる範囲での変形、改良等は本発明に含まれるものである。
例えば、新動画情報生成部４４は、図７に示すように、動画情報５０をコピーせずにそのまま新動画情報６０Ａに含め、当該動画情報５０と、表示領域情報６２と、表示時間範囲情報６３とを有する新動画情報６０Ａを生成してもよい。
また、制御部４０に記憶制御部４６を設けずに、新動画情報６０を記憶部３０に記憶させなくてもよい。
さらに、表示領域設定部４２は、動画オブジェクトＭの閉領域ＣＡ以外の領域を新動画オブジェクトＮＭの表示領域として設定してもよい（動画オブジェクトＭの閉領域ＣＡ以外の領域の表示内容を新動画オブジェクトＮＭの表示内容として設定してもよい）。また、表示時間範囲設定部４３は、各ボタンＢＴ，ＢＰの操作による動画オブジェクトＭの再生開始から停止までの時間を、新動画オブジェクトＮＭの表示時間範囲として設定したが、当該再生開始から停止までの時間を除く時間を、新動画オブジェクトＮＭの表示時間範囲として設定してもよい。また、コピー元の動画オブジェクトＭの表示時間範囲を新動画オブジェクトＮＭの表示時間範囲として設定してもよい。この設定処理は、表示領域設定部４２が行ってもよいし、表示領域設定部４２を設けない構成にして新動画情報生成部４４が行うようにしてもよい。
また、各手段４１〜４６が検出する操作は、表示面１１に表示させた操作ボタンをカーソルによって選択操作するものであってもよい。
【００２８】
また、各手段４１〜４６は、１つの動画処理装置１に設けられてもよいし複数の動画処理装置（例えば、パーソナルコンピュータなどの端末）に設けられてもよい。各手段４１〜４６が複数の動画処理装置に設けられている場合には、各動画処理装置はそれぞれ異なる場所に配置されてもよい。
さらに、本発明の動画処理装置としては、家電機器、業務用インフォメーション、車内インフォメーションの表示部に動画オブジェクトを表示させるものであってもよい。
また、上述した各機能をプログラムとして構築したが、例えば回路基板などのハードウェアあるいは１つのＩＣなどの素子にて構成するなどしてもよく、いずれの形態としても利用できる。なお、プログラムや別途記録媒体から読み取らせる構成とすることにより、上述したように取扱が容易で、利用の拡大が容易に図れる。
【００２９】
その他、本発明の実施の際の具体的な構造および手順は、本発明の目的を達成できる範囲で他の構造などに適宜変更できる。
【符号の説明】
【００３０】
１…動画処理装置
１０…表示部
３０…記憶部
４２…表示領域設定部
４３…表示時間範囲設定部
４４…新動画情報生成部
４６…記憶制御部
５０…動画情報
６０，６０Ａ…新動画情報
６１…動画情報のコピーとしてのコピー動画情報
６２…表示領域情報
６３…新動画情報
ＣＡ…閉領域
Ｍ…動画オブジェクト
ＮＭ…新動画オブジェクト
【図１】
2014168182.tif 000003
【図２】
2014168182.tif 000004
【図３】
2014168182.tif 000005
【図４】
2014168182.tif 000006
【図５】
2014168182.tif 000007
【図６】
2014168182.tif 000008
【図７】
2014168182.tif 000009